(57)【特許請求の範囲】
【請求項１】
互いに対向する側面を有する二つの躯体間に略水平に架設される横エキスパンションジョイントカバーと、前記二つの躯体間に略垂直に架設される縦エキスパンションジョイントカバーと、で形成されるコーナー部を被覆するエキスパンションジョイントカバーのコーナー被覆構造であって、
一方の躯体に固定された第１の化粧カバーと、
前記第１の化粧カバーに連続するように配置された第２の化粧カバーと、
を前記横エキスパンションジョイントカバーの上方に配置し、
前記第２の化粧カバーは、他方の躯体にＸ方向（平面視における躯体間隙短手方向）へ摺動自在に取り付けられる第１のブラケットと、前記第１の化粧カバーにＹ方向（平面視における躯体間隙長手方向）へ摺動自在に取り付けられる第２のブラケットと、で支持されていることを特徴とする、エキスパンションジョイントカバーのコーナー被覆構造。
【請求項２】
前記第２の化粧カバーは、前記横エキスパンションジョイントカバーにＹ方向へ摺動自在に取り付けられる第３のブラケットで支持されていることを特徴とする、請求項１記載のエキスパンションジョイントカバーのコーナー被覆構造。
【請求項３】
前記第２の化粧カバーの先端部に開閉可能な開閉扉を設け、
前記第１の化粧カバーがＹ方向へ摺動したときに、前記開閉扉を押し開けることで前記第１の化粧カバーのＹ方向への摺動が妨げられないようにしたことを特徴とする、請求項１又は２記載のエキスパンションジョイントカバーのコーナー被覆構造。
【請求項４】
前記横エキスパンションジョイントカバーの側面を覆う第３の化粧カバーを備え、
前記第３の化粧カバーは、水平方向へ回動可能となるように他方の躯体に固定されるとともに、前記横エキスパンションジョイントカバーにＹ方向へ摺動自在に取り付けられる第４のブラケットで支持されていることを特徴とする、請求項１〜３のいずれかに記載のエキスパンションジョイントカバーのコーナー被覆構造。
【請求項５】
前記第１の化粧カバー及び前記第２の化粧カバーの下方に、二つの躯体間の間隙をカバーする受材を設けたことを特徴とする、請求項１〜４のいずれかに記載のエキスパンションジョイントカバーのコーナー被覆構造。
【請求項６】
前記第１の化粧カバーは、勾配を設けた樋形状であることを特徴とする、請求項１〜５のいずれかに記載のエキスパンションジョイントカバーのコーナー被覆構造。
【請求項７】
前記第２の化粧カバーには、前記他方の躯体に臨む縁部、及び、前記第１の化粧カバーに臨む縁部に、緩衝材が取り付けられていることを特徴とする、請求項１〜６のいずれかに記載のエキスパンションジョイントカバーのコーナー被覆構造。
【発明の詳細な説明】
【技術分野】
【０００１】
この発明は、縦横に架設されたエキスパンションジョイントカバーのコーナー部を被覆するエキスパンションジョイントカバーのコーナー被覆構造に関する。
【背景技術】
【０００２】
縦横に配置されてコーナーを形成する２つのエキスパンションジョイントカバーのコーナー部を被覆する構造として、例えば特許文献１には、縦横交差方向に伸びる間隙を介して隣接する躯体Ａ，Ｂ間を連結し、該躯体間隙を被閉するエキスパンションジョイント構造において、縦方向に伸びる躯体間隙を被閉する縦カバー材１２（縦エキスパンションジョイントカバー）と、横方向に伸びる躯体間隙を被閉する横カバー材１３（横エキスパンションジョイントカバー）との間に水切カバー材１１を配設し、縦カバー材１２を躯体Ａに水平方向回動可能に取り付け、水切カバー材１１は当該縦カバー材１２と一体に連結し、横カバー材１３の基端側部を前記水切カバー材１１のスライド挿入部１１３ａにスライド可能に挿入すると共に、横カバー材１３の一側縁部を一方の躯体に固定することとし、少なくとも躯体Ａ，Ｂが相互にＹ方向に変動したとしてもこれに追随することができるようにした構造が開示されている。
【先行技術文献】
【特許文献】
【０００３】
【特許文献１】特開２０００−１７９０５６号公報
【発明の概要】
【発明が解決しようとする課題】
【０００４】
しかし、上記した特許文献１記載の構造では、縦カバー材１２と水切カバー材１１とが一体的に連結されているために可動範囲が限定的となっており、水切カバー材１１と横カバー材１３との間の隙間ｄが許容する範囲内でしか縦カバー材１２が回動できない。すなわち、二つの躯体が相互にＹ方向（平面視における躯体間隙長手方向）に変位できる範囲が限定的となっているため、地震などの揺れに追随し辛いという問題があった。
【０００５】
そこで、本発明は、二つの躯体が相互に変動した場合の可動範囲を大きくすることで地震などの揺れに十分に追随することができるエキスパンションジョイントカバーのコーナー被覆構造を提供することを課題とする。
【課題を解決するための手段】
【０００６】
本発明は、上記した課題を解決するためになされたものであり、以下を特徴とする。
【０００７】
（請求項１）
請求項１に記載のエキスパンションジョイントカバーのコーナー被覆構造は、互いに対向する側面を有する二つの躯体間に略水平に架設される横エキスパンションジョイントカバーと、前記二つの躯体間に略垂直に架設される縦エキスパンションジョイントカバーと、で形成されるコーナー部を被覆するエキスパンションジョイントカバーのコーナー被覆構造であって、一方の躯体に固定された第１の化粧カバーと、前記第１の化粧カバーに連続するように配置された第２の化粧カバーと、を前記横エキスパンションジョイントカバーの上方に配置し、前記第２の化粧カバーは、他方の躯体にＸ方向（平面視における躯体間隙短手方向）へ摺動自在に取り付けられる第１のブラケットと、前記第１の化粧カバーにＹ方向（平面視における躯体間隙長手方向）へ摺動自在に取り付けられる第２のブラケットと、で支持されていることを特徴とする。
【０００８】
（請求項２）
請求項２に記載の発明は、上記した請求項１記載の発明の特徴点に加え、以下の点を特徴とする。
すなわち、前記第２の化粧カバーは、前記横エキスパンションジョイントカバーにＹ方向へ摺動自在に取り付けられる第３のブラケットで支持されていることを特徴とする。
【０００９】
（請求項３）
請求項３に記載の発明は、上記した請求項１又は２記載の発明の特徴点に加え、以下の点を特徴とする。
すなわち、前記第２の化粧カバーの先端部に開閉可能な開閉扉を設け、前記第１の化粧カバーがＹ方向へ摺動したときに、前記開閉扉を押し開けることで前記第１の化粧カバーのＹ方向への摺動が妨げられないようにしたことを特徴とする。
【００１０】
（請求項４）
請求項４に記載の発明は、上記した請求項１〜３のいずれかに記載の発明の特徴点に加え、以下の点を特徴とする。
すなわち、前記横エキスパンションジョイントカバーの側面を覆う第３の化粧カバーを備え、前記第３の化粧カバーは、水平方向へ回動可能となるように他方の躯体に固定されるとともに、前記横エキスパンションジョイントカバーにＹ方向へ摺動自在に取り付けられる第４のブラケットで支持されていることを特徴とする。
【００１１】
（請求項５）
請求項５に記載の発明は、上記した請求項１〜４のいずれかに記載の発明の特徴点に加え、以下の点を特徴とする。
すなわち、前記第１の化粧カバー及び前記第２の化粧カバーの下方に、二つの躯体間の間隙をカバーする受材を設けたことを特徴とする。
【００１２】
（請求項６）
請求項６に記載の発明は、上記した請求項１〜５のいずれかに記載の発明の特徴点に加え、以下の点を特徴とする。
すなわち、前記第１の化粧カバーは、勾配を設けた樋形状であることを特徴とする。
【００１３】
（請求項７）
請求項７に記載の発明は、上記した請求項１〜６のいずれかに記載の発明の特徴点に加え、以下の点を特徴とする。
すなわち、前記第２の化粧カバーには、前記他方の躯体に臨む縁部、及び、前記第１の化粧カバーに臨む縁部に、緩衝材が取り付けられていることを特徴とする。
【発明の効果】
【００１４】
請求項１に記載の発明は上記の通りであり、一方の躯体に固定された第１の化粧カバーと、前記第１の化粧カバーに連続するように配置された第２の化粧カバーと、を横エキスパンションジョイントカバーの上方に配置し、前記第２の化粧カバーは、他方の躯体にＸ方向（平面視における躯体間隙短手方向）へ摺動自在に取り付けられる第１のブラケットと、前記第１の化粧カバーにＹ方向（平面視における躯体間隙長手方向）へ摺動自在に取り付けられる第２のブラケットと、で支持されている。すなわち、化粧カバーが分割されており、しかも第２の化粧カバーにＸ方向とＹ方向のいずれにも摺動できるようにブラケットが取り付けられているため、二つの躯体が相互にどのように変動した場合でも、大きな可動範囲で追従することができる。よって、地震などの揺れが発生した場合でも、化粧カバーの破損を防ぎつつ十分に追随することができる。
【００１５】
また、請求項２に記載の発明は上記の通りであり、前記第２の化粧カバーは、前記横エキスパンションジョイントカバーにＹ方向へ摺動自在に取り付けられる第３のブラケットによって更に支持されているため、よりスムーズに第２の化粧カバーを可動させて、化粧カバーの破損を防ぐことができる。また、第２の化粧カバーを横エキスパンションジョイントカバーで間接的に支持しているので、第２の化粧カバーの凹みやガタツキを抑制することができる。
【００１６】
また、請求項３に記載の発明は上記の通りであり、前記第２の化粧カバーの先端部に開閉可能な開閉扉を設け、前記第１の化粧カバーがＹ方向へ摺動したときに、前記開閉扉を押し開けることで前記第１の化粧カバーのＹ方向への摺動が妨げられないように構成されている。このような構成によれば、通常時は開閉扉が閉状態となるので、意匠性を向上させることができ、かつ、雨水やホコリ等の侵入を防ぐことができる。そして、第１の化粧カバーがＹ方向へ摺動したときには、開閉扉がスムーズに開状態となり、第１の化粧カバーの動きを妨げることがない。
【００１７】
また、請求項４に記載の発明は上記の通りであり、前記横エキスパンションジョイントカバーの側面を覆う第３の化粧カバーを備え、前記第３の化粧カバーは、水平方向へ回動可能となるように他方の躯体に固定されるとともに、前記横エキスパンションジョイントカバーにＹ方向へ摺動自在に取り付けられる第４のブラケットで支持されている。このような構成によれば、通常時は第３の化粧カバーが閉状態となるので、意匠性を向上させることができ、かつ、雨水やホコリ等の侵入を防ぐことができる。そして、横エキスパンションジョイントカバーが移動したときには、第３の化粧カバーがスムーズに開状態となり、横エキスパンションジョイントカバーの動きを妨げることがない。
【００１８】
また、請求項５に記載の発明は上記の通りであり、前記第１の化粧カバー及び前記第２の化粧カバーの下方に、二つの躯体間の間隙をカバーする受材を設けたので、化粧カバーで網羅できない箇所においても雨水やホコリ等の侵入を防ぐことができる。
【００１９】
また、請求項６に記載の発明は上記の通りであり、前記第１の化粧カバーは、勾配を設けた樋形状であるので、エキスパンションジョイントカバーや躯体の間隙部に雨水等を侵入させずに確実に排出することができる。
【００２０】
また、請求項７に記載の発明は上記の通りであり、前記第２の化粧カバーには、前記他方の躯体に臨む縁部、及び、前記第１の化粧カバーに臨む縁部に、緩衝材が取り付けられている。このため、第２の化粧カバーが摺動することで他方の躯体や第１の化粧カバーに衝突する場合でも、部材の破損等を有効に防止することができる。また、緩衝材が第２の化粧カバーと他方の躯体または第１の化粧カバーとの隙間を埋めるため、雨水やホコリ等の侵入を防ぐことができる。
【図面の簡単な説明】
【００２１】
【図１】エキスパンションジョイントカバーのコーナー被覆構造を示す外観斜視図である。
【図２】エキスパンションジョイントカバーのコーナー被覆構造を示す平面図である。
【図３】コーナー被覆構造の分解図である。
【図４】ブラケットの分解図である。
【図５】ブラケットの一部であるスライドユニットの斜視図である。
【図６】図２における（ａ）Ａ−Ａ断面図、（ｂ）Ｂ−Ｂ断面図である。
【図７】二つの躯体の相対位置が矢示Ｘ方向に変位した場合の化粧カバーの作動状態を示す図である。
【図８】二つの躯体の相対位置が矢示Ｘ方向（ただし図７とは逆の方向）に変位した場合の化粧カバーの作動状態を示す図である。
【図９】二つの躯体の相対位置が矢示Ｙ方向に変位した場合の化粧カバーの作動状態を示す図である。
【図１０】二つの躯体の相対位置が矢示Ｙ方向（ただし図９とは逆の方向）に変位した場合の化粧カバーの作動状態を示す図である。
【発明を実施するための形態】
【００２２】
本発明の実施形態について、図を参照しながら説明する。なお、以下の説明においては、平面視における躯体間隙短手方向を「Ｘ方向」、平面視における躯体間隙長手方向を「Ｙ方向」をして説明する（図１参照）。
【００２３】
（エキスパンションジョイントカバーについて）
本実施形態に係るエキスパンションジョイントカバーは、図１に示すような二つの躯体１０，１１間に配置される。
【００２４】
二つの躯体１０，１１は、互いに対向する側面１０ａ，１１ａを有しており、２つの側面１０ａ，１１ａが間隙を有して向かい合って配置されている。二つの躯体１０，１１のうち、一方の躯体１０は、平坦な側面１０ａによって他方の躯体１１に向かい合っている。一方、他方の躯体１１は、一方の躯体１０の側面１０ａに臨む位置に段差を設けた形状となっている。具体的には、一方の躯体１０の側面１０ａよりも低い屋根面にパラペット１２が配置され、このパラペット１２の端部から立ち上がる前面１１ｂを備えることで、他方の躯体１１の側面１１ａを一方の躯体１０側から見たときに、Ｌ字形の段部が形成されている。
【００２５】
本実施形態に係るエキスパンションジョイントカバーは、この二つの躯体１０，１１間に略水平に架設される横エキスパンションジョイントカバー１５と、前記二つの躯体１０，１１間に略垂直に架設される縦エキスパンションジョイントカバー１６と、を備えており、この２つのエキスパンションジョイントカバーが略直角に配置されることでコーナー部１７を形成している。
【００２６】
横エキスパンションジョイントカバー１５は、一方の躯体１０に臨む端縁に形成された固定部１５ａと、固定部１５ａから略水平に延出形成された水平部１５ｂと、水平部１５ｂにおける固定部１５ａとは逆側の端縁に形成された下垂部１５ｃと、を備えている。この横エキスパンションジョイントカバー１５は、固定部１５ａを使用して一方の躯体１０に略水平に固定される。このとき、他方の躯体１１の方向に張り出した水平部１５ｂがパラペット１２上に移動可能に載置される。これにより、水平部１５ｂで二つの躯体１０，１１間の水平方向の間隙を覆っている。そして、水平部１５ｂは、二つの躯体１０，１１間の間隙よりも大きな幅で形成されているため、他方の躯体１１側へと突出した状態となる。このため、地震などの揺れが生じて二つの躯体１０，１１が移動した場合でも、水平部１５ｂがパラペット１２上で移動することで揺れに追従できるようになっている。また、水平部１５ｂの端部に下垂部１５ｃが設けられていることで、下垂部１５ｃでパラペット１２を覆った状態となるので、意匠性も良く、雨水等が躯体間隙へ侵入するのを防ぐ。
【００２７】
縦エキスパンションジョイントカバー１６は、一方の躯体１０に臨む端縁に形成された固定部１６ａと、固定部１６ａから延出形成されて略垂直な面を形成する垂直部１６ｂと、垂直部１６ｂにおける固定部１６ａとは逆側の端縁に形成された折曲部１６ｃと、を備えている。この縦エキスパンションジョイントカバー１６は、固定部１６ａを使用して一方の躯体１０に略垂直に固定される。これにより、垂直部１６ｂで二つの躯体１０，１１間の垂直方向の間隙を覆っている。そして、垂直部１６ｂは、二つの躯体１０，１１間の間隙よりも大きな幅で形成されているため、他方の躯体１１側へと突出した状態となる。垂直部１６ｂは他方の躯体１１に固定されていないため、地震などの揺れが生じて二つの躯体１０，１１が移動した場合でも、垂直部１６ｂが移動することで揺れに追従できるようになっている。また、他方の躯体１１側へと突出した垂直部１６ｂの端部には折曲部１６ｃが設けられているため、折曲部１６ｃの先端が他方の躯体１１の前面１１ｂに臨むようになっており、縦エキスパンションジョイントカバー１６と他方の躯体１１との間に隙間ができにくい構造となっているため、雨水等が躯体間隙へ侵入するのを防ぐ。
【００２８】
（コーナー被覆構造について）
上記した横エキスパンションジョイントカバー１５及び縦エキスパンションジョイントカバー１６は、図１に示すように、地震などで躯体１０，１１が揺れた場合でも互いに接触しないように、縦方向及び横方向に所定の間隔を設けて配設される。このため、コーナー部１７には間隙が生じることとなるが、本実施形態においてはこのコーナー部１７の間隙を被覆するコーナー被覆構造を備えている。
【００２９】
本実施形態に係るコーナー被覆構造は、図１〜３に示すように、一方の躯体１０に固定された第１の化粧カバー２０と、第１の化粧カバー２０に連続するように配置された第２の化粧カバー２１と、第２の化粧カバー２１の前端部に設けられた開閉扉２３と、横エキスパンションジョイントカバー１５の側面を覆う第３の化粧カバー２４と、第２の化粧カバー２１を支持する第１のブラケット２５・第２のブラケット２６・第３のブラケット２７と、第３の化粧カバー２４を支持する第４のブラケット２８と、第１の化粧カバー２０及び第２の化粧カバー２１の下方に設けられた受材４０と、を備えている。
【００３０】
（第１の化粧カバー２０）
第１の化粧カバー２０は、図１に示すように一方の躯体１０に固定される化粧カバーである。この第１の化粧カバー２０は、図３に示すように、一方の躯体１０に臨む端縁に形成された固定部２０ａと、固定部２０ａから略水平に延出形成された雨受部２０ｂと、雨受部２０ｂと連続するように固定部２０ａとは逆側に形成された突出部２０ｃと、突出部２０ｃと雨受部２０ｂとの高さの違いによって形成された段部２０ｄと、を備えている。この第１の化粧カバー２０は、固定部２０ａを使用して一方の躯体１０に略水平に固定され、横エキスパンションジョイントカバー１５の上方に略水平に配置される。
なお、雨受部２０ｂは、図３の矢印が示す方向に勾配を設けた樋形状となっており、上面で受けた雨などをスムーズに排出できるようになっている。
【００３１】
また、突出部２０ｃは、雨受部２０ｂよりも低く形成されて第２の化粧カバー２１の方向に張り出して設けられている。この突出部２０ｃは、後述する第２のブラケット２６のスライドユニット３１を取り付けるためのものであり、第２の化粧カバー２１の下方に入り込んで第２の化粧カバー２１に覆われるように配置される。
【００３２】
（第２の化粧カバー２１）
第２の化粧カバー２１は、第１の化粧カバー２０よりも他方の躯体１１側に配置され、第１の化粧カバー２０に並設される化粧カバーである。この第２の化粧カバー２１は、複数（本実施形態においては３つ）の可動式のブラケットで支持されており、いずれの躯体に対しても直接的に固定されていないため、Ｘ方向にもＹ方向にも移動可能となっている。この第２の化粧カバー２１は、上面の高さ位置が第１の化粧カバー２０とほぼ同じレベルになるように第１の化粧カバー２０に連続するように配置されており、横エキスパンションジョイントカバー１５の上方に略水平に配置されている。
【００３３】
なお、この第２の化粧カバー２１の屋根部２１ａは、図３の矢印が示す方向に勾配を設けた形状となっており、上面で受けた雨などをスムーズに排出できるようになっている。
【００３４】
また、この第２の化粧カバー２１の側壁部２１ｃ（第１の化粧カバー２０から見て遠い側の側面部）は、側面視において第１の化粧カバー２０の突出部２０ｃなどが露出しないように覆うとともに、雨水やホコリ等の侵入を防ぐように、下方に突出して形成されている。
【００３５】
この第２の化粧カバー２１には、図１及び図２に示すように、他方の躯体１１に臨む縁部及び第１の化粧カバー２０に臨む縁部に緩衝材２１ｄが取り付けられている。緩衝材２１ｄは、弾性変形が可能であればよく、例えばゴム材などを使用可能である。この緩衝材２１ｄは、耐候性・耐久性・耐水性があり、外部に使用しても劣化し難いものが望ましい。このような緩衝材２１ｄを設けることで、耐衝撃性能を高めることができることができるのみならず、図６に示すように、緩衝材２１ｄによって他方の躯体１１や第１の化粧カバー２０との間の隙間を埋めることができるので、雨水やホコリ等の侵入を防ぐことができる。
【００３６】
（開閉扉２３）
開閉扉２３は、図１に示すように、第２の化粧カバー２１の前面側の前端部２１ｂに開閉可能に設けられる部材である。この開閉扉２３は、第２の化粧カバー２１の前面側の切欠きを覆うとともに、雨水やホコリ等の侵入を防ぐためのものである。
【００３７】
この開閉扉２３は、蝶番２２を介して第２の化粧カバー２１に取り付けられており、通常時においては自重によって下方に垂れ下がって閉状態を維持している（バネなどの付勢部材を使用して閉状態を保つように付勢してもよい）。しかしながら、地震などで躯体が変位することで第１の化粧カバー２０がＹ方向へ摺動すると、第１の化粧カバー２０の突出部２０ｃによって開閉扉２３は容易に押し開けられる。すなわち、通常においては閉状態を保って意匠性の向上や異物の侵入を防ぐ効果を発揮する一方、揺れが生じたときには開状態となって第１の化粧カバー２０の摺動を妨げないように構成されている。
【００３８】
（第３の化粧カバー２４）
第３の化粧カバー２４は、横エキスパンションジョイントカバー１５の側面を覆うための化粧カバーである。この第３の化粧カバー２４は、他方の躯体１１に対して水平方向へ回動可能となるように固定される。具体的には、他方の躯体１１の前面１１ｂに固定された支持材４３に蝶番４４を接続し、この蝶番４４に第３の化粧カバー２４を接続することで、第３の化粧カバー２４は他方の躯体１１に回動自在に固定される。
【００３９】
この第３の化粧カバー２４は、後述するように、可動式のブラケットによって横エキスパンションジョイントカバー１５に連結支持されており、地震などで横エキスパンションジョイントカバー１５が変位した場合には、横エキスパンションジョイントカバー１５を覆いつつ揺れに追従するように構成されている。
【００４０】
（第１のブラケット２５）
第１のブラケット２５は、第２の化粧カバー２１に固定されるとともに、他方の躯体１１にＸ方向へ摺動自在に取り付けられる可動式のブラケットであり、第２の化粧カバー２１と他方の躯体１１とを移動可能に接続するものである。この第１のブラケット２５は、図４に示すように、長尺のレール材３０と、レール材３０に対してスライド可能に係合するスライドユニット３１と、を備えている。
【００４１】
このうち、長尺のレール材３０は、長手方向に沿ってレール溝３０ａを内側に形成した部材であり、スライドユニット３１を摺動可能にガイドするためのものである。このレール材３０は、任意の場所に固定用の孔が穿設され、この孔を使用して留具などで他部材に固定される。
【００４２】
一方、スライドユニット３１は、レール材３０のレール溝３０ａにスライド可能に挿入されるスライド板３２と、スライド板３２に回動可能に接続される回動部材３４と、スライド板３２と回動部材３４とを閉状態に付勢するためのバネ３３と、回動部材３４に回動可能に接続される固定板３５と、を備えている。
スライド板３２は、レール溝３０ａに挿入される板状部材であり、端部に回動部材３４と接続するための円弧部３２ａが形成されている。
【００４３】
回動部材３４は、一端部にスライド板３２と接続するための軸部３４ａが形成され、他端部に固定板３５と接続するための回動軸孔３４ｂが形成された部材である。軸部３４ａがスライド板３２の円弧部３２ａによって回動可能に保持されることで、回動部材３４は軸部３４ａを中心に回動可能となっている。
【００４４】
バネ３３は、図５に示すように、回動部材３４の軸部３４ａに取り付けられるねじりコイルばねであり、スライド板３２と回動部材３４とが折り畳まれた状態となるように付勢している。
【００４５】
固定板３５は、所定の位置にスライドユニット３１を固定するための板状部材である。たとえば、固定板３５に固定用の孔を穿設し、この孔を使用して留具などで固定板３５を固定する。この固定板３５は、図４に示すように、端部に回動部材３４と接続するためのピン支持部３５ａを備えている。回動部材３４の回動軸孔３４ｂに貫通させたピン３６をこのピン支持部３５ａで回転可能に支持することで、回動部材３４がピン３６を中心に回動可能となっている。
【００４６】
このスライドユニット３１は、図５に示すように、バネ３３の付勢力によって、通常時においては折り畳まれた状態を維持している。このため、通常の使用時においては回動部材３４が不用意に回動しないため、部材の余計なバタつきが抑制されるようになっている。一方、地震などで躯体が変位した場合には、回動部材３４が回動可能であるため、固定板３５が固定されているにもかかわらず、固定板３５とスライド板３２とが蛇腹状に開閉して揺れに追従できるように形成されている。すなわち、スライドユニット３１は、レール材３０に対してスライド可能に係合するのみならず、スライド方向とは別方向に伸縮可能となっている。
【００４７】
第１のブラケット２５は、レール材３０が第２の化粧カバー２１に固定される。また、固定板３５が他方の躯体１１の前面１１ｂに取り付けられる（具体的には、他方の躯体１１の前面１１ｂに固定されたＬ字固定材４１を使用して固定板３５が他方の躯体１１の前面１１ｂに取り付けられる）。このとき、レール材３０の長手方向（レール溝３０ａのガイド方向）がＸ方向となっているため、レール材３０に沿ってスライドユニット３１が摺動することで、第２の化粧カバー２１と他方の躯体１１とが互いにＸ方向へ摺動自在となっている。このため、地震などで第２の化粧カバー２１と他方の躯体１１とが互いにＸ方向に移動した場合でも、レール材３０に沿ってスライドユニット３１が摺動することで揺れに追従できるようになっている。なお、第２の化粧カバー２１と他方の躯体１１とが互いに上下に移動した場合でも、回動部材３４が回動することで固定板３５とスライド板３２とが蛇腹状に開閉して揺れに追従できるようになっている。
【００４８】
（第２のブラケット２６）
第２のブラケット２６は、第２の化粧カバー２１に固定されるとともに、第１の化粧カバー２０にＹ方向へ摺動自在に取り付けられる可動式のブラケットであり、第２の化粧カバー２１と第１の化粧カバー２０とを移動可能に接続するものである。この第２のブラケット２６の基本的構成は第１のブラケット２５と同様である。
【００４９】
この第２のブラケット２６は、レール材３０が第２の化粧カバー２１に固定され、固定板３５が第１の化粧カバー２０の突出部２０ｃに取り付けられる。このとき、レール材３０の長手方向（レール溝３０ａのガイド方向）がＹ方向となっているため、レール材３０に沿ってスライドユニット３１が摺動することで、第２の化粧カバー２１と第１の化粧カバー２０とが互いにＹ方向へ摺動自在となっている。このため、地震などで第２の化粧カバー２１と第１の化粧カバー２０とが互いにＹ方向に移動した場合でも、レール材３０に沿ってスライドユニット３１が摺動することで揺れに追従できるようになっている。なお、第２の化粧カバー２１と第１の化粧カバー２０とが互いに上下に移動した場合でも、回動部材３４が回動することで固定板３５とスライド板３２とが蛇腹状に開閉して揺れに追従できるようになっている。
【００５０】
（第３のブラケット２７）
第３のブラケット２７は、第２の化粧カバー２１に固定されるとともに、横エキスパンションジョイントカバー１５にＹ方向へ摺動自在に取り付けられる可動式のブラケットであり、第２の化粧カバー２１と横エキスパンションジョイントカバー１５とを移動可能に接続するものである。この第３のブラケット２７の基本的構成は第１のブラケット２５と同様である。
【００５１】
この第３のブラケット２７は、レール材３０が第２の化粧カバー２１に固定され、固定板３５が横エキスパンションジョイントカバー１５の水平部１５ｂに取り付けられる。このとき、レール材３０の長手方向（レール溝３０ａのガイド方向）がＹ方向となっているため、レール材３０に沿ってスライドユニット３１が摺動することで、第２の化粧カバー２１と横エキスパンションジョイントカバー１５とが互いにＹ方向へ摺動自在となっている。すなわち、地震などで第２の化粧カバー２１と横エキスパンションジョイントカバー１５とが互いにＹ方向に移動した場合でも、レール材３０に沿ってスライドユニット３１が摺動することで揺れに追従できるようになっている。なお、第２の化粧カバー２１と横エキスパンションジョイントカバー１５とが互いに上下に移動した場合でも、回動部材３４が回動することで固定板３５とスライド板３２とが蛇腹状に開閉して揺れに追従できるようになっている。
【００５２】
（第４のブラケット２８）
第４のブラケット２８は、第３の化粧カバー２４に固定されるとともに、横エキスパンションジョイントカバー１５にＹ方向へ摺動自在に取り付けられる可動式のブラケットであり、第３の化粧カバー２４と横エキスパンションジョイントカバー１５とを移動可能に接続するものである。この第４のブラケット２８の基本的構成は第１のブラケット２５と同様である。
【００５３】
この第４のブラケット２８は、レール材３０が第３の化粧カバー２４に固定される。また、固定板３５が横エキスパンションジョイントカバー１５の下垂部１５ｃに取り付けられる（具体的には、横エキスパンションジョイントカバー１５の下垂部１５ｃに固定された平型固定材４２を使用して固定板３５が横エキスパンションジョイントカバー１５の下垂部１５ｃに取り付けられる）。このとき、レール材３０の長手方向（レール溝３０ａのガイド方向）がＹ方向となっているため、レール材３０に沿ってスライドユニット３１が摺動することで、第３の化粧カバー２４と横エキスパンションジョイントカバー１５とが互いにＹ方向へ摺動自在となっている。すなわち、地震などで第３の化粧カバー２４と横エキスパンションジョイントカバー１５とが互いにＹ方向に移動した場合でも、レール材３０に沿ってスライドユニット３１が摺動することで揺れに追従できるようになっている。なお、第２の化粧カバー２１と横エキスパンションジョイントカバー１５とが互いにＸ方向に移動した場合でも、回動部材３４が回動することで固定板３５とスライド板３２とが蛇腹状に開閉して揺れに追従できるようになっている。
【００５４】
（受材４０）
受材４０は、第１の化粧カバー２０及び第２の化粧カバー２１の下方に配置される板状部材である。この受材４０の上面は、図３の矢印が示す方向に勾配を設けた樋形状となっており、上面で受けた雨などをスムーズに排出できるようになっている。
【００５５】
この受材４０は、第１の化粧カバー２０及び第２の化粧カバー２１ではカバーできない二つの躯体１０，１１間の間隙をカバーするために設けられるものであり、少なくとも、第２の化粧カバー２１と縦エキスパンションジョイントカバー１６とが交わる角部の直下にオーバーラップするように配置される。
【００５６】
（揺れに対する追従性について）
上記したようなコーナー被覆構造によれば、地震などにより二つの躯体１０，１１が互いに変位した場合でも、Ｘ方向及びＹ方向を問わずにその動きに追従することができる。
【００５７】
すなわち、二つの躯体の相対位置がＸ方向に変位した場合には、図７及び図８が示すように、第１のブラケット２５が摺動するとともに、第４のブラケット２８が回動し、化粧カバーに無理な負荷がかからないようになっている。
【００５８】
また、二つの躯体の相対位置がＹ方向に変位した場合には、図９及び図１０が示すように、第２のブラケット２６、第３のブラケット２７、第４のブラケット２８が摺動することで、化粧カバーに無理な負荷がかからないようになっている。
【００５９】
なお、特に図示しないが、二つの躯体の相対位置がＸＹの両方向に変位した場合でも、すべてのブラケットが作動することで揺れに追従して化粧カバーに無理な負荷がかからないようにすることができる。
（まとめ）
【００６０】
以上説明したように、本実施形態によれば、一方の躯体１０に固定された第１の化粧カバー２０と、前記第１の化粧カバー２０に連続するように配置された第２の化粧カバー２１と、を横エキスパンションジョイントカバーの上方に配置し、前記第２の化粧カバー２１は、他方の躯体１１にＸ方向（平面視における躯体間隙短手方向）へ摺動自在に取り付けられる第１のブラケット２５と、前記第１の化粧カバー２０にＹ方向（平面視における躯体間隙長手方向）へ摺動自在に取り付けられる第２のブラケット２６と、で支持されている。すなわち、化粧カバーが分割されており、しかも第２の化粧カバー２１にＸ方向とＹ方向のいずれにも摺動できるようにブラケットが取り付けられているため、二つの躯体１０，１１が相互にどのように変動した場合でも、大きな可動範囲で追従することができる。よって、地震などの揺れが発生した場合でも、第１の化粧カバー２０及び第２の化粧カバー２１の破損を防ぎつつ十分に追随することができる。
【００６１】
また、前記第２の化粧カバー２１は、前記横エキスパンションジョイントカバー１５にＹ方向へ摺動自在に取り付けられる第３のブラケット２７で支持されているため、よりスムーズに第２の化粧カバー２１を可動させて、化粧カバーの破損を防ぐことができる。また、第２の化粧カバー２１を横エキスパンションジョイントカバー１５で間接的に支持しているので、第２の化粧カバー２１の凹みやガタツキを抑制することができる。
【００６２】
また、前記第２の化粧カバー２１の前端部２１ｂに開閉可能な開閉扉２３を設け、前記第１の化粧カバー２０がＹ方向へ摺動したときに、前記開閉扉２３を押し開けることで前記第１の化粧カバー２０のＹ方向への摺動が妨げられないように構成されている。このような構成によれば、通常時は開閉扉２３が閉状態となるので、意匠性を向上させることができ、かつ、雨水やホコリ等の侵入を防ぐことができる。そして、第１の化粧カバー２０がＹ方向へ摺動したときには、開閉扉２３がスムーズに開状態となり、第１の化粧カバー２０の動きを妨げることがない。
【００６３】
また、前記横エキスパンションジョイントカバー１５の側面を覆う第３の化粧カバー２４を備え、前記第３の化粧カバー２４は、水平方向へ回動可能となるように他方の躯体１１に固定されるとともに、前記横エキスパンションジョイントカバー１５にＹ方向へ摺動自在に取り付けられる第４のブラケット２８で支持されている。このような構成によれば、通常時は第３の化粧カバー２４が閉状態となるので、意匠性を向上させることができ、かつ、雨水やホコリ等の侵入を防ぐことができる。そして、横エキスパンションジョイントカバー１５がＸ方向へ摺動したときには、第３の化粧カバー２４がスムーズに開状態となり、横エキスパンションジョイントカバー１５の動きを妨げることがない。
【００６４】
また、前記第１の化粧カバー２０及び前記第２の化粧カバー２１の下方に、二つの躯体１０，１１間の間隙をカバーする受材４０を設けたので、第１の化粧カバー２０及び第２の化粧カバー２１で網羅できない箇所においても雨水やホコリ等の侵入を防ぐことができる。
【００６５】
また、前記第１の化粧カバー２０は、勾配を設けた樋形状であるので、エキスパンションジョイントカバーや躯体の間隙部に雨水等を侵入させずに確実に排出することができる。
【００６６】
また、前記第２の化粧カバー２１には、前記他方の躯体１１に臨む縁部、及び、前記第１の化粧カバー２０に臨む縁部に、緩衝材２１ｄが取り付けられている。このため、第２の化粧カバー２１が摺動することで他方の躯体１１や第１の化粧カバー２０に衝突する場合でも、部材の破損等を有効に防止することができる。また、緩衝材２１ｄが第２の化粧カバー２１と他方の躯体１１または第１の化粧カバー２０との隙間を埋めるため、雨水やホコリ等の侵入を防ぐことができる。
【符号の説明】
【００６７】
１０  一方の躯体
１０ａ  側面
１１  他方の躯体
１１ａ  側面
１１ｂ  前面
１２  パラペット
１５  横エキスパンションジョイントカバー
１５ａ  固定部
１５ｂ  水平部
１５ｃ  下垂部
１６  縦エキスパンションジョイントカバー
１６ａ  固定部
１６ｂ  垂直部
１６ｃ  折曲部
１７  コーナー部
２０  第１の化粧カバー
２０ａ  固定部
２０ｂ  雨受部
２０ｃ  突出部
２０ｄ  段部
２１  第２の化粧カバー
２１ａ  屋根部
２１ｂ  前端部
２１ｃ  側壁部
２１ｄ  緩衝材
２２  蝶番
２３  開閉扉
２４  第３の化粧カバー
２５  第１のブラケット
２６  第２のブラケット
２７  第３のブラケット
２８  第４のブラケット
３０  レール材
３０ａ  レール溝
３１  スライドユニット
３２  スライド板
３２ａ  円弧部
３３  バネ
３４  回動部材
３４ａ  軸部
３４ｂ  回動軸孔
３５  固定板
３５ａ  ピン支持部
３６  ピン
４０  受材
４１  Ｌ字固定材
４２  平型固定材
４３  支持材
４４  蝶番
【図１】
0006052809.tif 000002
【図２】
0006052809.tif 000003
【図３】
0006052809.tif 000004
【図４】
0006052809.tif 000005
【図５】
0006052809.tif 000006
【図６】
0006052809.tif 000007
【図７】
0006052809.tif 000008
【図８】
0006052809.tif 000009
【図９】
0006052809.tif 000010
【図１０】
0006052809.tif 000011